(57)【特許請求の範囲】
【請求項１】
ハッチフランジ又はハッチ蓋に形成された円環状のシール部を覆うように上記ハッチフランジ又は上記ハッチ蓋に着脱自在に取り付けられる保護カバーにおいて、
上記シール部に沿って延びるアルミニウム製の保護板と、この保護板を跨ぐようにして上記保護板に装着された取付金具とを備え、
該取付金具は、断面コ字形状に形成されてその中央部に上記保護板が取り付けられた金具本体と、該金具本体の両側部の内一方に設けられた押さえねじとを有し、
上記取付金具は、上記ハッチフランジ又は上記ハッチ蓋に、そのシール部を上記保護板で覆うように且つ上記押さえねじと上記両側部の他方との間に上記ハッチフランジ又は上記ハッチ蓋を挟むように取り付けられることを特徴とするハッチのシール部保護カバー。
【請求項２】
上記保護板が、その周方向に分割された複数の分割板からなることを特徴とする請求項１に記載のハッチのシール部保護カバー。
【請求項３】
上記隣接する一対以上の分割板の端部同士をヒンジ結合したことを特徴とする請求項２に記載のハッチのシール部保護カバー。
【請求項４】
エアロックフランジ又はエアロック扉に形成された矩形状のシール部を覆うように上記エアロックフランジ又は上記エアロック扉に着脱自在に取り付けられる保護カバーにおいて、
上記シール部に沿って延びるアルミニウム製の保護板と、この保護板に装着された取付金具とを備え、
該取付金具は、断面コ字形状に形成されてその両側部の内一方に上記保護板が取り付けられた金具本体と、上記両側部の他方に設けられた押さえねじとを有し、
上記取付金具は、上記エアロックフランジ又は上記エアロック扉に、そのシール部を上記保護板で覆うように且つ上記押さえねじと上記両側部の一方との間に上記エアロックフランジ又は上記エアロック扉を挟むように取り付けられることを特徴とするエアロックのシール部保護カバー。
【請求項５】
上記保護板が上記シール部の上半分を覆うコ字形状の上部保護板と、下半分を覆うコ字形状の下部保護板とからなることを特徴とする請求項４に記載のエアロックのシール部保護カバー。
【請求項６】
上記上部保護板と下部保護板との端部同士をヒンジ結合したことを特徴とする請求項５に記載のエアロックのシール部保護カバー。
【発明の詳細な説明】
【０００１】
【発明の属する技術分野】
本発明は、原子炉格納容器に設けられるハッチ及びエアロックのシール部を保護するためのカバーに関するものである。
【０００２】
【従来の技術】
図１５に示すように、従来の原子炉格納容器ａには、供用期間中の検査の際等に作業員が出入りや検査，補修機器等を搬出入のための二重エアロックｂやハッチｃが設けられている。
【０００３】
このエアロックｂやハッチｃは、作業性のために検査の期間中は開けっ放しの状態としていることから、特に検査，補修機器等の搬出入の際にそのシール部にそれら機器等がぶつかって破損しないように、そのシール部には予め検査作業の前に保護カバーが取り付けられるようになっている。
【０００４】
例えば、図１２〜図１４に示すように、エアロックｂのフランジｆに形成された円環状のシール部ｓを保護するためには、そのシール部ｓに沿って延びる断面コ字形状をしたアルミ製の保護ブロックｇを予め複数（例えば、８つ程度）形成しておき、これら各保護ブロックｇを円環状に配列してそれら各保護ブロックｇに設けられた複数（例えば、３つ）の取付部材ｈを用いてフランジｆに取り付けることによってシール部ｆを保護するようになっている。
【０００５】
【発明が解決しようとする課題】
ところで、このような従来の保護カバーは、全て作業員によって現地まで運搬され、ハッチフランジとハッチ蓋側、二重エアロックの本体側及び２つのエアロック蓋の各シール部といった、少なくとも合計６カ所のシール部ｓに対してそれぞれ手作業によって取り付け・取り外しが行われるようになっているため、その作業は容易ではなかった。
【０００６】
すなわち、この保護カバーを構成する保護ブロックｇは、作業員の手作業によって一つずつ取り付け、取り外しされることになるが、この保護カバーは、アルミニウムの鋳物で一体成形されて重くなっているため、その搬出入及び着脱作業には多くの労力を要すると共に、構成するブロック数も多くなるため、作業には長時間を要するといった欠点がある。
【０００７】
また、個々の保護ブロックｇの重量が大きいことから、取付後の落下等を防止するために個々のブロックをワイヤｗで繋いだり、工具等を用いてしっかりと取り付けなければならない。
【０００８】
しかも、これらの作業は、放射線防護管理区域での作業であるため、防護服を着ての作業となり、両手には綿手袋、軍手で防護した装備で作業を強いられるため、通常状態の作業にも増して過酷な作業であった。
【０００９】
そこで、本発明はこのような課題を有効に解決するために案出されたものであり、その目的は、運搬や着脱作業を極めて容易に行うことができる新規なハッチ及びエアロックのシール部保護カバーを提供するものである。
【００１０】
【課題を解決するための手段】
上記課題を解決するために第一の発明は、請求項１に示すように、ハッチフランジ又はハッチ蓋に形成された矩形状のシール部を覆うように上記ハッチフランジ又は上記ハッチ蓋に着脱自在に取り付けられる保護カバーにおいて、上記シール部に沿って延びるアルミニウム製の保護板と、この保護板を跨ぐようにして上記保護板に装着された取付金具とを備え、該取付金具は、断面コ字形状に形成されてその中央部に上記保護板が取り付けられた金具本体と、該金具本体の両側部の内一方に設けられた押さえねじとを有し、上記取付金具は、上記ハッチフランジ又は上記ハッチ蓋に、そのシール部を上記保護板で覆うように且つ上記押さえねじと上記両側部の他方との間に上記ハッチフランジ又は上記ハッチ蓋を挟むように取り付けられるものである。これによってハッチフランジ及びハッチ蓋のシール部を確実に保護できることは勿論、構成が簡略化されて大幅に軽量化されるため、運搬や着脱作業を容易に行うことができる。
【００１１】
また、第二の発明は、請求項２に示すように、上記保護板を、その周方向に分割された複数の分割板から構成したものであり、これによって運搬や着脱作業を極めて容易に行うことができる。、
さらに、第三の発明は、請求項３に示すように、隣接する一対以上の分割板の端部同士をヒンジ結合したものであり、これにより、小さく折り畳むことができるため、運搬や着脱作業を容易に行うことができることは勿論、収納スペースも小さくすることができる。
【００１２】
また、第四の発明は、請求項４に示すように、エアロックフランジ又はエアロック扉に形成された矩形状のシール部を覆うように上記エアロックフランジ又は上記エアロック扉に着脱自在に取り付けられる保護カバーにおいて、上記シール部に沿って延びるアルミニウム製の保護板と、この保護板に装着された取付金具とを備え、該取付金具は、断面コ字形状に形成されてその両側部の内一方に上記保護板が取り付けられた金具本体と、上記両側部の他方に設けられた押さえねじとを有し、上記取付金具は、上記エアロックフランジ又は上記エアロック扉に、そのシール部を上記保護板で覆うように且つ上記押さえねじと上記両側部の一方との間に上記エアロックフランジ又は上記エアロック扉を挟むように取り付けられるものである。これによって、エアロックフランジ及びエアロック扉のシール部を確実に保護できることは勿論、上記と同様に、構成が簡略化されて大幅に軽量化されるため、運搬や着脱作業を容易に行うことができる。
【００１３】
また、第五の発明は、請求項５に示すように、上記保護板が上記シール部の上半分を覆うコ字形状の上部保護板と、下半分を覆うコ字形状の下部保護板とからなり、また、第六の発明は、上記上部保護板と下部保護板との端部同士をヒンジ結合したものであり、これによって、第二及び第三の発明と同様に、運搬や着脱作業を容易に行うことができ、加えて収納スペースも小さくすることができる。
【００１４】
【発明の実施の形態】
次に、本発明を実施する好適実施の一形態を添付図面を参照しながら説明する。
【００１５】
先ず、図１〜図４は、本発明に係る保護カバーのうち、ハッチ側のシール部に用いる保護カバー１の実施の一形態を示したものである。
【００１６】
図示するように、この保護カバー１は、ハッチ本体側のフランジｆに形成された円環状のシール部ｓを覆うように同じく円環状に形成されており、そのシール部ｓに沿って延びるアルミニウム製の保護板２と、この保護板２をフランジｆ側に着脱自在に取り付けるための取付金具３とから構成されている。
【００１７】
また、この保護板２はその周方向に分割された複数（本実施の形態にあっては６つ）の分割板２ａ，２ａ…からなっており、隣接する一対の分割板２ａ，２ａ同士がその端部でヒンジ部材４で互いにヒンジ結合されている。
【００１８】
一方、取付金具３は、図４に示すように、分割板２ａを跨ぐようにコ字形に形成された金具本体３ａと、この金具本体３ａをシール部ｓが形成されたフランジｆ側に取り付けるための押さえねじ３ｂとから構成されており、この取付金具３は、図１及び図２に示すように、連結ピン３ｃによって各分割板２ａ，２ａ…の略中央部にそれぞれ一つずつ固定されるように取り付けられている。尚、この取付金具３は、適度な取付強度を担保するために、ＳＵＳ等のアルミニウムよりも高強度な材料から形成されている。
【００１９】
そして、このような保護カバー１をハッチ本体側フランジｆの円環状シール部ｓに取り付けるためには、図２に示すように、予め隣接する分割板２ａ，２ａ同士をヒンジ部材４で結合しておき、これを現場に搬入してから図１に示すようにそのシール部ｓに被せた後、図４に示すように、取付金具３の押さえねじ３ｂを廻してシール部ｓが形成されたフランジｆを両側から挟み込むようにして取付金具３を取り付けることで一対の分割板２ａ，２ａを所定の位置に容易に取り付けることができる。その後、これと隣接するように他の分割板２ａ，２ａを順次同様に取り付けることでシール部ｓ全面に連続した保護板６を取り付けることができる。
【００２０】
従って、機器等の搬出入時において誤ってその一部がそのシール部ｓにぶつかったとしても、このシール部ｓはその全体がアルミニウム製の保護カバー１で覆われて保護された状態となっているため、シール部ｓが破損したり、傷ついたりするおそれがなくなり、そのための補修作業等も全く不要となる。
【００２１】
また、この保護カバー１は、アルミ製の平板状の分割板２ａと取付金具３とからなっているため、従来のものと比較して構造が簡単で大幅に軽量化されることからその運搬や着脱作業に要する労力を大幅に軽減できると共に、製造コストも安価にすることができる。しかも、軽量化によって落下等の危険性も減ることから、取付構造や強度も従来よりも簡易にすることができるため、ワイヤや工具等を用いることなく素手のみによって確実に着脱作業を行うことができる。
【００２２】
また、図３に示すように隣接する分割板２ａ，２ａ同士をヒンジ結合することによって２つの分割板２ａ，２ａを纏めて取り付けられると同時に、簡単に折り畳むことができるため、運搬や着脱作業が容易となると共に収納スペースも小さくすることが可能となる。
【００２３】
次に、図５〜図９は、本発明に係る保護カバーのうち、エアロック本体側のシール部ｓに用いる保護カバー５の実施の一形態を示したものである。
【００２４】
図示するように、この保護カバー５は、エアロック本体側のフランジｆに形成された矩形状のシール部ｓを覆うように同じく矩形状に形成されており、上記保護カバー１と同様に、そのシール部ｓに沿って延びるアルミニウム製の保護板６と、この保護板６をシール部ｓに着脱自在に取り付けるための取付金具７とから構成されている。
【００２５】
また、この保護板６は、シール部ｓの上半分を覆う下向きコ字形状の上部保護板８と、下半分を覆う上向きコ字形状の下部保護板９とから構成されており、その突き合わせ端部は、一対のヒンジ部材１０，１０によってそれぞれ互いにヒンジ結合された状態となっている。
【００２６】
さらに、これら上部保護板８及び下部保護板９は、図６及び図７に示すように、それぞれ平行に延びる一対の縦板１１，１１と、横板１２と、く形状をした一対の連結板１３，１３とからなっており、縦板１１，１１の端部間に横板１２を架け渡すと共にその端部同士を連結板１３，１３でそれぞれ連結した簡単な構造となっている。
【００２７】
また、この取付金具７は、図９に示すように、一方の屈曲面で保護板６を抑えるようにコ字形に形成された金具本体７ａと、この金具本体７ａをシール部ｓが形成されたフランジｆ側に取り付けるための押さえねじ７ｂとから構成されている。尚、この取付金具７も同様に、適度な取付強度を担保するために、ＳＵＳ等のアルミニウムよりも高強度な材料から形成されている。
【００２８】
そして、このような保護カバー５をエアロック本体側フランジｆの矩形状シール部ｓに取り付けるためには、図５に示すようにシール部ｓに上部保護板８及び下部保護板９をあてがった状態で取付金具７の押さえねじ７ｂを廻すことで容易に取り付けることができる。尚、この取付金具７を固定するに際しては、上記実施の形態と同様に、保護板６を跨ぐようにしてフランジｆの幅方向に締め付けるようにしても良いが、図９に示すように、金具本体７ａを長くし、エアロック本体側のフランジｆ外面の凹凸形状を利用して前後から挟むように取り付ければ、よりしっかりと取り付けることが可能となる。
【００２９】
従って、このような保護カバー５を備えることによって、上記ハッチの場合と同様に機器等の搬出入時において誤ってその一部がそのシール部ｓにぶつかったとしても、このシール部ｓはその全体がアルミニウム製の保護カバー６で覆われて保護された状態となっているため、シール部ｓが破損したり、傷ついたりするおそれを確実に回避することができる。また、従来のものと比較して構造が簡単で大幅に軽量化されることから、上記ハッチ用の保護カバー１と同様に、その搬出入や着脱作業に要する労力を大幅に軽減することができると共に、製造コストも大幅に低減することができる。しかも、軽量化によって落下等の危険性も減ることから、取付構造や強度も従来よりも簡易にすることができるため、工具等を一切用いることなく素手のみによって確実に着脱することができる。また、この保護カバー５は、その中央部のヒンジ部１０，１０で上下方向に折り畳むことができるため、搬出入作業や着脱作業が容易となると共に収納スペースも小さくすることができる。
【００３０】
次に、図１０、図１１はこのようなエアロック用の保護カバー５のうち、エアロック扉側に適した保護カバー５の実施の形態を示したものである。
【００３１】
すなわち、図７及び図９に示すように、エアロック本体側のシール部ｓには、その長手方向に延びるシール溝ｍが形成されているのに対し、図１１に示すように、エアロック扉側のシール部ｓには、このシール溝ｍ内に嵌め込まれる凸条部ｎがその長手方向に連続して形成された状態となっている。そのため、エアロック扉側のシール部ｓに用いる保護カバー５は、その基本的な構造は上記エアロック本体側のそれと全く同じであるが、図示するように、本実施の形態に係る保護カバー５にあってはこの凸条部ｎの干渉を回避すべく保護板６側のシール部ｓに接する面の両側に一定の間隔を隔てて一対の下駄状の突起１４，１４を備えたものである。
【００３２】
これによって、凸条体ｎによる干渉が回避されるため、表面に凸条体ｎが形成されたエアロック扉側のシール部ｓであっても容易かつ確実に保護することができると共に上述した保護カバー５と同様な作用、効果を得ることができる。
【００３３】
尚、本実施の形態では、保護板６として上部保護板８と下部保護板９との二つの部材で構成したが、さらに、これらを細かく分割し、それぞれをヒンジ結合するようにすれば、取付作業がやや煩雑になるもののより小さく折り畳むことが可能となるため、運搬、収納がより簡単にすることが可能となる。
【００３４】
【発明の効果】
以上要するに本発明によれば、ハッチフランジ、ハッチ蓋、エアロックフランジ、エアロック扉の各シール部を確実に保護できることは勿論、構成が簡略化されて大幅に軽量化されるため、運搬や着脱作業を容易に行うことができる。これによって運搬や着脱作業に要する労力軽減と作業時間の短縮化が図られると共に、作業員の全被爆量を低減することができるため、安全性も向上する等といった優れた効果を発揮する。
【図面の簡単な説明】
【図１】本発明に係るハッチフランジ及びハッチ蓋のシール部に適用される保護カバーの実施の一形態を示す正面図である。
【図２】図１中Ａ部を示す拡大図である。
【図３】（Ａ）は、図２中Ａ−Ａ線矢視図である。
（Ｂ）は、図３（Ａ）の状態から分割板を閉じた状態を示す概念図である。
【図４】図２中Ｂ−Ｂ線矢視図である。
【図５】本発明に係るエアロックフランジのシール部に適用される保護カバーの実施の一形態を示す正面図である。
【図６】図５中Ａ部を示す拡大図である。
【図７】図６中Ａ−Ａ線断面図である。
【図８】図５中Ｂ−Ｂ線矢視図である。
【図９】図５中Ｃ−Ｃ線断面図である。
【図１０】本発明に係るエアロック扉のシール部に適用される保護カバーの実施の一形態を示す部分省略正面図である。
【図１１】（Ａ）は図１０中Ａ−Ａ線断面図である。
（Ｂ）は図１０中Ｂ−Ｂ線断面図である。
【図１２】従来のハッチフランジ及びハッチ蓋のシール部に適用される保護カバーの実施の一形態を示す正面図である。
【図１３】図１２中Ａ部を示す拡大図である。
【図１４】図１３中Ａ−Ａ線拡大断面図である。
【図１５】従来の原子炉格納容器の一例を示す構成図である。
【符号の説明】
１  保護カバー
2a  分割板
２  保護板
３  取付金具
４  ヒンジ部材
ｓ  シール部
ｆ  フランジ
【図１】
0004348825.tif 000002
【図２】
0004348825.tif 000003
【図３】
0004348825.tif 000004
【図４】
0004348825.tif 000005
【図５】
0004348825.tif 000006
【図６】
0004348825.tif 000007
【図７】
0004348825.tif 000008
【図８】
0004348825.tif 000009
【図９】
0004348825.tif 000010
【図１０】
0004348825.tif 000011
【図１１】
0004348825.tif 000012
【図１２】
0004348825.tif 000013
【図１３】
0004348825.tif 000014
【図１４】
0004348825.tif 000015
【図１５】
0004348825.tif 000016